【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
弁輪を有する内腔における流体流動を制御するための弁であって、
内側部分と外側部分とを有する縫合リングと、
前記縫合リングの前記内側部分に確実に取付けられた複数の弁葉部と、を含み、
前記縫合リングがストレスを加えない配置で実質的に平面であり、前記縫合リングの前記外側部分が前記ストレスを加えない配置で前記縫合リングの作動的な周縁を画成し、前記ストレスを加えない配置にある前記縫合リングの直径が前記弁輪の直径より大きく、前記縫合リングの前記外側部分が、前記弁輪に付勢された配置で取付けるように構成され、
前記縫合リングが前記ストレスを加えない配置にあるとき、前記複数の弁葉部が前記縫合リングと実質的に同一平面上にあり、前記付勢された配置で前記弁輪に前記縫合リングを取付けると、前記縫合リングが実質的に非平面であり、前記複数の弁葉部が実質的に非平面であり、及び前記複数の弁葉部の少なくとも一つの弁葉部の少なくとも一部分が前記複数の弁葉部の隣り合う弁葉部のうちの少なくとも一つの少なくとも一部分に関して重なり、各々の弁葉部の先端が前記縫合リングの前記内側部分に関して半径方向内側に、概して前記弁の中心点に向かって伸長し、前記複数の弁葉部の弁葉部の少なくとも一部分が細胞外基質材料を含む、
ことを特徴とする弁。
【請求項２】
前記縫合リングの少なくとも一部分が細胞外基質材料を含む、
ことを特徴とする請求項１に記載の弁。
【請求項３】
前記縫合リングの前記外側部分が対象の心臓の弁輪に取付けるように構成される、
ことを特徴とする請求項１に記載の弁。
【請求項４】
前記付勢された配置で前記弁輪に前記縫合リングを取付けると、前記弁の少なくとも一部分が前記対象の血液の循環と連絡するよう構成される、
ことを特徴とする請求項３に記載の弁。
【請求項５】
前記複数の弁葉部の弁葉部が前記縫合リングの前記内側部分に沿って実質的に等しく間隔をあけられる、
ことを特徴とする請求項１に記載の弁。
【請求項６】
前記縫合リングが、前記複数の弁葉部の少なくとも一つの弁葉部の少なくとも一部分が前記複数の弁葉部の隣り合う弁葉部のうちの少なくとも一つの少なくとも一部分の下に重なるよう前記弁輪に取付けるように構成される、
ことを特徴とする請求項１に記載の弁。
【請求項７】
前記縫合リングがさらに、前記複数の弁葉部の少なくとも一つの弁葉部の少なくとも一部分が前記複数の弁葉部の隣り合う弁葉部のうちの少なくとも一つの少なくとも一部分の上に重なるよう前記弁輪に取付けるように構成される、
ことを特徴とする請求項１に記載の弁。
【請求項８】
前記縫合リングの前記外側部分が実質的に円形である、
ことを特徴とする請求項１に記載の弁。
【請求項９】
前記複数の弁葉部が二つの弁葉部を含む、
ことを特徴とする請求項１に記載の弁。
【請求項１０】
前記複数の弁葉部が三つの弁葉部を含む、
ことを特徴とする請求項１に記載の弁。
【請求項１１】
前記複数の弁葉部の弁葉部が心臓の弁輪を通る血流を制御するよう構成される、
ことを特徴とする請求項１に記載の弁。
【請求項１２】
前記縫合リングの直径の前記弁輪の直径に対する比が、約１．０１：１から約３．００：１へ及ぶよう構成される、
ことを特徴とする請求項１に記載の弁。
【請求項１３】
前記縫合リングの直径の前記弁輪の直径に対する比が、約１．７０：１から約２．１０：１へ及ぶよう構成される、
ことを特徴とする請求項１に記載の弁。
【請求項１４】
前記縫合リングの直径が約２０ｍｍから約７０ｍｍへ及ぶ、
ことを特徴とする請求項１に記載の弁。
【請求項１５】
前記縫合リングの直径が約３５ｍｍから約４５ｍｍへ及ぶ、
ことを特徴とする請求項１に記載の弁。
【請求項１６】
前記縫合リングの少なくとも一部分が金属を含む、
ことを特徴とする請求項１に記載の弁。
【請求項１７】
前記縫合リングの少なくとも一部分が形状記憶アクティブ材料を含む、
ことを特徴とする請求項１に記載の弁。
【請求項１８】
前記縫合リングの少なくとも一部分が高分子材料を含む、
ことを特徴とする請求項２に記載の弁。
【請求項１９】
前記細胞外基質材料が電界紡糸され、前記高分子材料に適用されて前記縫合リングを形成する、
ことを特徴とする請求項１８に記載の弁。
【請求項２０】
前記縫合リングが前記複数の弁葉部と一体的に形成される、
ことを特徴とする請求項１に記載の弁。
【請求項２１】
弁輪を有する内腔における流体流動を制御するための弁であって、
内側部分と外側部分とを有する縫合リングと、
前記縫合リングの前記内側部分に確実に取付けられた複数の弁葉部と、
前記縫合リングを付勢された配置で前記弁輪に取り付ける手段と、
を含み、
該縫合リングがストレスを加えない配置で実質的に平面であり、前記縫合リングの前記外側部分が前記ストレスを加えない配置で前記縫合リングの作動的な周縁を画成し、前記ストレスを加えない配置にある前記縫合リングの直径が前記弁輪の直径より大きく、前記縫合リングの前記外側部分が、前記弁輪に付勢された配置で取付けるように構成され、
前記縫合リングが前記ストレスを加えない配置にあるとき、前記複数の弁葉部が前記縫合リングと実質的に同一平面上にあり、
前記縫合リングが、前記付勢された配置において実質的に非平面であり、前記複数の弁葉部が実質的に非平面であり、及び前記複数の弁葉部のうちの少なくとも一つの弁葉部の少なくとも一部分が前記複数の弁葉部の隣り合う弁葉部のうちの少なくとも一つの少なくとも一部分に関して重なり、前記付勢された配置において、前記複数の弁葉部の各々の弁葉部の先端が前記縫合リングの前記内側部分に関して半径方向内側に、概して前記弁の中心点に向かって伸長し、
前記複数の弁葉部の弁葉部の少なくとも一部分が細胞外基質材料を含む、
ことを特徴とする弁。
【請求項２２】
弁輪を有する内腔の流体流動を制御するための弁組立体であって、
外縁を有し、複数の弁葉部を画成する弁を含み、
該弁と前記画成される複数の弁葉部が、ストレスを加えない配置で実質的に平面であり、前記弁の直径が、前記ストレスを加えない配置で、前記弁輪の直径より大きく、前記弁の外縁に隣接した弁の部分が付勢された配置で前記弁輪に取り付けるように構成され、各々の弁葉部が、前記弁の前記外縁に対し内側へ、概して前記弁の半径方向の中心に向かって伸長する先端部を有し、前記弁を前記弁輪に付勢された配置で取付けると、前記弁が実質的に非平面であり、前記複数の弁葉部が実質的に非平面であり、前記弁の前記外縁が前記弁輪の周縁に沿って、実質的に正弦波パターンで配置され、
前記弁の少なくとも一部分が細胞外基質材料を含む、
ことを特徴とする弁組立体。
【請求項２３】
弁輪を有する内腔の流体流動を制御するための弁であって、前記弁及び前記弁輪が各々周縁を有する、弁であって、
外縁部を有する本体と、
前記弁の外縁部に配置される複数の弁葉部と、を含み、
前記弁が、ストレスを加えない配置で実質的に平面であり、前記複数の弁葉部が、前記ストレスを加えない配置で実質的に平面であり、前記弁の作動的な直径が前記ストレスを加えない配置で、前記弁輪の直径より大きいように構成され、前記弁の本体の外縁部が付勢された配置で前記弁輪に取り付けるように構成され、前記弁を前記弁輪に前記付勢された配置で取り付けると、前記弁の前記本体の前記外縁部が実質的に非平面であり、前記複数の弁葉部が実質的に非平面であり、及び前記複数の弁葉部のうちの少なくとも一つの弁葉部の少なくとも一部分が前記複数の弁葉部の隣り合う弁葉部のうちの少なくとも一つの少なくとも一部分に関して重なり、前記付勢された配置において、前記複数の弁葉部の各々の弁葉部の先端が概して前記弁の中心点に向かって、半径方向内側に伸長し、
前記複数の弁葉部の各々の弁葉部の少なくとも一部分が細胞外基質材料を含む、
ことを特徴とする弁。
【請求項２４】
弁輪を有する内腔の流体流動を制御するための弁であって、前記弁及び前記弁輪が各々周縁を有し、前記弁輪が内壁を有する、弁であって、
外縁部を画成する本体と、
前記弁の外縁部に配置される複数の弁葉部と、を含み、
前記弁が、ストレスを加えない配置で実質的に平面であり、前記ストレスを加えない配置にある前記弁の作動的な直径が、前記弁輪の直径より大きく、
前記ストレスを加えない配置において、前記複数の弁葉部が、実質的に平面であり、
前記弁の前記外縁部が付勢された配置で前記弁輪の前記内壁に取り付けられ、前記付勢された配置において、前記弁の前記外縁部が実質的に非平面であり、前記複数の弁葉部が実質的に非平面であり、及び前記複数の弁葉部のうちの少なくとも一つの弁葉部の少なくとも一部分が前記複数の弁葉部の隣り合う弁葉部のうちの少なくとも一つの少なくとも一部分に関して重なり、前記付勢された配置において、前記複数の弁葉部の各々の弁葉部の先端部が概して前記弁の中心点に向かって半径方向内側に伸長し、
前記複数の弁葉部の各々の弁葉部の少なくとも一部分が細胞外基質材料を含む、
ことを特徴とする弁。